(57)【要約】【課題】フィードバック制御等のための特別な検知回路を用意せずにエレクトロクロミック素子の発色／消色の駆動を効率よく行うことが可能なエレクトロクロミック駆動装置を提供する。【解決手段】エレクトロクロミック駆動装置は、電力を可変に供給する可変電源部（第１可変電源部１０３Ａ、第２可変電源部１０３Ｂ）と、エレクトロクロミック素子の第１の極Ｎ１と第２の極Ｐ１とをそれぞれ前記変電源部又は回路基準電位（ＧＮＤ）に接続させる駆動用スイッチ（第１スイッチＳＷ１〜第４スイッチＳＷ４）と、前記第１の極Ｎ１と前記第２の極Ｐ１とを短絡／開放させる短絡用スイッチ（第５スイッチＳＷ５）と、前記駆動用スイッチ、前記短絡用スイッチ、及び前記可変電源部を制御する制御部１０５と、を備える。【選択図】図１
2020160476.tif 000002
【特許請求の範囲】
【請求項１】
電力を可変に供給する可変電源部と、
エレクトロクロミック素子の第１の極と第２の極とをそれぞれ前記可変電源部又は回路基準電位に接続させる駆動用スイッチと、
前記第１の極と前記第２の極とを短絡／開放させる短絡用スイッチと、
前記駆動用スイッチ、前記短絡用スイッチ、及び前記可変電源部を制御する制御部と、
を備え、
前記制御部は、
前記短絡用スイッチをＯＮして前記第１の極と前記第２の極とをショートさせ、
前記駆動用スイッチを制御して、前記第１の極と前記第２の極のうちいずれか一方の極を前記回路基準電位に接続させるとともに、他方の極を電源と接続させ、
前記エレクトロクロミック素子の状態に関係なく強制的に前記エレクトロクロミック素子の中の電荷を平衡化させる
エレクトロクロミック駆動装置。
【請求項２】
前記制御部は、
前記エレクトロクロミック素子の中の電荷を平衡化させた後、前記駆動用スイッチおよび前記短絡用スイッチをＯＦＦして、前記エレクトロクロミック素子を開回路状態にさせる
請求項１に記載のエレクトロクロミック駆動装置。
【請求項３】
前記制御部は、
前記エレクトロクロミック素子の両端子間の電位が劣化により、予め設定した規定値と異なる場合には、
前記駆動用スイッチをＯＦＦし、前記短絡用スイッチをＯＮして前記第１の極と前記第２の極とをショートさせた後、
前記短絡用スイッチをＯＦＦして、前記エレクトロクロミック素子を開回路状態にさせる
請求項１または２に記載のエレクトロクロミック駆動装置。
【請求項４】
前記可変電源部は、
電源部から電力の供給を受ける第１可変電源部と第２可変電源部と、を有し、
前記駆動用スイッチは、
一方を前記第１可変電源部と接続する第１スイッチと、
一方を前記第１スイッチの他方と接続し、他方を前記回路基準電位と接続する第２スイッチと、
一方を前記第２可変電源部と接続する第３スイッチと、
一方を前記第３スイッチの他方と接続し、他方を前記回路基準電位と接続する第４スイッチと、を有し、
前記エレクトロクロミック素子と前記短絡用スイッチとは、並列に接続し、一方が前記第１スイッチと前記第２スイッチとの間に接続し、他方が前記第３スイッチと前記第４スイッチとの間に接続することが可能であり、
前記エレクトロクロミック素子の両端子に、同電位、前記回路基準電位または前記電源部からの電位を強制的に印加可能な構成とする
請求項１から３のいずれか一項に記載のエレクトロクロミック駆動装置。
【請求項５】
前記可変電源部は、
前記第１の極に電力を可変に供給する第１可変電源部と、
前記第２の極に電力を可変に供給する第２可変電源部と、
を備え、
前記制御部は、
前記第１可変電源部と前記第２可変電源部との電位差によって前記エレクトロクロミック素子を発色／消色させる請求項１に記載のエレクトロクロミック駆動装置。
【請求項６】
前記第１可変電源部と前記第２可変電源部は、
電位の組み合わせが任意に選択できる請求項５に記載のエレクトロクロミック駆動装置。
【発明の詳細な説明】
【技術分野】
【０００１】
本発明は、エレクトロクロミック駆動装置に関する。
【背景技術】
【０００２】
エレクトロクロミック素子は、電圧を印可することによって酸化／還元反応が可逆的に起こり、この酸化／還元反応により色を発色／消色する色材と、この色材を酸化又は還元させる電圧を印加する駆動装置と、を備える。
【０００３】
従来のエレクトロクロミック素子の駆動装置においては、発色時／消色時の応答性のコントロール、発色時の特定の濃度保持を行う場合、シーケンス制御やフィードバック制御が行われていた。シーケンス制御やフィードバック制御のためには、制御パラメータとしてのエレクトロクロミック素子の電極電位、インピーダンス、注入電位、放出電位等の電気特性を検知する検知回路が必要であった。
【０００４】
この点に関し、エレクトロクロミック素子の濃度階調性を持たせた駆動を行う際に、エレクトロクロミック素子の両端電圧を電圧検出回路によって検出し、この両端電圧と予め定めた基準電圧とを比較器によって比較し、電圧検出回路の出力と基準電圧との差が所定値より大きい場合にのみ発色のための電圧を印可する駆動装置が提案されている（例えば、特許文献１）。
【０００５】
しかし、この技術によっては、エレクトロクロミック素子の発色／消色の繰り返しによる素子の劣化を効率よく検出できず、経時劣化によりエレクトロクロミック素子の発色濃度に変化が生じてしまうことがある。
【発明の概要】
【発明が解決しようとする課題】
【０００６】
本発明は、このような課題を解決するためになされたものであり、フィードバック制御等のための特別な検知回路を用意せずにエレクトロクロミック素子の発色／消色の駆動を効率よく行うことが可能なエレクトロクロミック駆動装置を提供することを目的とする。
【課題を解決するための手段】
【０００７】
上記課題を解決するための本発明は、電力を可変に供給する可変電源部と、エレクトロクロミック素子の第１の極と第２の極とをそれぞれ前記可変電源部又は回路基準電位に接続させる駆動用スイッチと、前記第１の極と前記第２の極とを短絡／開放させる短絡用スイッチと、前記駆動用スイッチ、前記短絡用スイッチ、及び前記可変電源部を制御する制御部と、を備え、前記制御部は、前記短絡用スイッチをＯＮして前記第１の極と前記第２の極とをショートさせ、前記駆動用スイッチを制御して、前記第１の極と前記第２の極のうちいずれか一方の極を前記回路基準電位に接続させるとともに、他方の極を電源と接続させ、前記エレクトロクロミック素子の状態に関係なく強制的に前記エレクトロクロミック素子の中の電荷を平衡化させるエレクトロクロミック駆動装置を提供する。
【発明の効果】
【０００８】
本発明によれば、特別な検知回路を用意せずにエレクトロクロミック素子の発色／消色の駆動を効率よく行うことが可能なエレクトロクロミック駆動装置を提供することができる。
【図面の簡単な説明】
【０００９】
【図１】第１の実施形態に係るエレクトロクロミック駆動装置の構成を示す図である。
【図２】第１のショートモードの例を示す図である。
【図３】第２のショートモードの例を示す図である。
【図４】第３のショートモードの例を示す図である。
【図５】第４のショートモードの例を示す図である。
【図６】エレクトロクロミック素子を回路基準電位（ＧＮＤ）により発色させる場合の駆動部の状態を示す図である。
【図７】第１可変電源部と第２可変電源部との電位差を印加することにより、第１の極と第２の極との電位差によってエレクトロクロミック素子を発色させる場合の駆動部の状態を示す図である。
【図８】第１可変電源部と第２可変電源部との発色電位の組み合わせの例を示す図である。
【図９】第５スイッチを使用してエレクトロクロミック素子に発色動作を行わせる場合の駆動部の状態を示す図である。
【図１０】回路基準電位（ＧＮＤ）によりエレクトロクロミック素子を消色する場合の駆動部の状態を示す図である。
【図１１】第１可変電源部と第２可変電源部との電位差を印加することにより、第１の極と第２の極との電位差によってエレクトロクロミック素子を消色させる場合の駆動部の状態を示す図である。
【図１２】第１可変電源部と第２可変電源部との消色電位の組み合わせの例を示す図である。
【図１３】第５スイッチを使用してＥＣ素子に消色動作を行わせる場合の駆動部の状態を示す図である。
【図１４】エレクトロクロミック素子の両極の電位を検出する電圧検出部を備えるエレクトロクロミック駆動装置の構成を示す図である。
【図１５】使用履歴のない新品のエレクトロクロミック素子と、相当回数駆動したエレクトロクロミック素子との、復帰カーブを示すグラフである。
【図１６】駆動波形の例を示す図である。
【図１７】第１の可変電源部及び第２の可変電源部の構成例を示す図である。
【図１８】第１の可変電源部及び第２の可変電源部の動作を示す図である。
【図１９】エレクトロクロミック素子の積層方向断面図である。
【発明を実施するための形態】
【００１０】
以下、本発明の一実施形態に係るエレクトロクロミック駆動装置について図面を参照しながら説明する。
【００１１】
図１９は、エレクトロクロミック素子（以下、エレクトロクロミック素子をＥＣ素子１０１ともいう。）の積層方向断面図である。図１９に示すように、ＥＣ素子１０１は、電解質層４０１と、この電解質層４０１を挟む第１の色材層４０２Ａ、及び第２の色材層４０２Ｂと、電解質層４０１、第１の色材層４０２Ａ、及び第２の色材層４０２Ｂを囲む封止部４０３Ａ、４０３Ｂと、第１の色材層４０２Ａに隣接して配置される第１の電極４０４Ａと、第２の色材層４０２Ｂに隣接して配置される第２の電極４０４Ｂと、第１の電極４０４Ａに隣接して配置される第１の基板４０５Ａと、第２の電極４０４Ｂに隣接して配置される第２の基盤４０５Ｂと、を備える。
【００１２】
第１の色材層４０２Ａは、酸化状態において可視域に波長の吸収帯を有するエレクトロクロミック化合物またはエレクトロクロミック組成物を含む。第２の色材層４０２Ｂは、還元状態において可視域に波長の吸収帯を有するエレクトロクロミック化合物またはエレクトロクロミック組成物を含む。エレクトロクロミック化合物またはエレクトロクロミック組成物は、公知のものを使用することができる。
【００１３】
ＥＣ素子は次のように動作する。発色時においては、第１の電極４０４Ａに＋電位が、第２の電極４０４Ｂに基準電位（ＧＮＤ）が印加されることにより、第２の電極４０４Ｂから第２の色材層４０２Ｂに対する電子の移動が行われ、第２の色材層の発色に余分な電子は電解質層４０１に移動する。第１の色材層４０２Ａの発色のための必要な電子が電解質層４０１から供給される。第１の色材層４０２Ａにおいて余分な電子は第１の電極４０４Ａに移動する。ＥＣ素子１０１内には電荷が注入された状態となる。
【００１４】
消色時においては、第２の電極４０４Ｂに＋電位が、第１の電極には基準電位（ＧＮＤ）が印加されることにより、第１の電極４０４Ａから第１の色材層４０２Ａに対する電子の移動が行われ、消色に必要な電荷量が第１の色材層４０２Ａから電解質層４０１に移動する。電解質層４０１から第２の色材層４０２Ｂに電荷が移動し、消色に必要な電荷量が第２の色材層４０２Ｂから第２の電極４０４Ｂに移動する。第２の電極４０４Ｂから発色の際に注入された電荷と同等の電荷量が放出される。
【００１５】
（第１の実施形態）
図１は、第１の実施形態に係るエレクトロクロミック駆動装置（以下、ＥＣ駆動装置という。）の構成を示す図である。図１に示すように、ＥＣ駆動装置は、電力を供給する電源部１０２と、第１可変電源部１０３Ａ及び第２可変電源部１０３Ｂと、ＥＣ素子１０１と、第１スイッチＳＷ１、第２スイッチＳＷ２、第３スイッチＳＷ３、第４スイッチＳＷ４、及び第５スイッチＳＷ５と、制御部１０５と、を備える。
【００１６】
第１可変電源部１０３Ａは、電源部１０２から電力の供給を受ける。第１可変電源部１０３Ａは、直列に接続される第１スイッチＳＷ１及び第２スイッチＳＷ２に接続する。第２スイッチＳＷ２はグランドＧＮＤに接続する。
【００１７】
第２可変電源部１０３Ｂは、電源部１０２から電力の供給を受ける。第２可変電源部１０３Ｂは、直列に接続される第３スイッチＳＷ３及び第４スイッチＳＷ４に接続する。第４スイッチＳＷ４はグランドＧＮＤに接続する。
【００１８】
第１スイッチＳＷ１の出力端子は、並列に接続される第５スイッチＳＷ５及びＥＣ素子１０１の一方の端子に接続する。並列に接続される第５スイッチＳＷ５及びＥＣ素子１０１の他方の端子は第３スイッチＳＷ３の出力端子に接続する。
【００１９】
このように第１スイッチＳＷ１から第５スイッチＳＷ５を接続すると、第１スイッチＳＷ１から第５スイッチＳＷ５の動作を制御する制御部からの駆動信号によりＥＣ素子１０１の両極にそれぞれ異なる電荷を印加できる。第１スイッチＳＷ１から第５スイッチＳＷ５を以下、素子駆動部という。
【００２０】
制御部１０５は、第１可変電源部１０３Ａ及び第２可変電源部１０３Ｂに制御信号を出力する。また、制御部１０５は、第１スイッチＳＷ１、第２スイッチＳＷ２、第３スイッチＳＷ３、第４スイッチＳＷ４、及び第５スイッチＳＷ５に駆動信号を出力する。
【００２１】
第１スイッチＳＷ１、第２スイッチＳＷ２、第３スイッチＳＷ３、第４スイッチＳＷ４、及び第５スイッチＳＷ５は、リレーなどのメカニカルスイッチや、アナログスイッチ（トランスミッションゲート）、ＦＥＴ（Ｆｉｅｌｄ  ｅｆｆｅｃｔ  ｔｒａｎｓｉｓｔｏｒ）、ＭＯＳ−Ｔｒ（ｍｅｔａｌ  ｏｘｉｄｅ  ｓｅｍｉｃｏｎｄｕｃｔｏｒ  ｔｒａｎｓｉｓｔｏｒ）などの半導体によるスイッチ素子などの中から適宜選択できる。
【００２２】
ＥＣ素子１０１を駆動する際に、ＥＳ素子１０１の端子である第１の極Ｎ１（酸化極）及び第２の極Ｐ１（還元極）に発色時／消色時に電圧を印加するために第１スイッチＳＷ１〜第４スイッチＳＷ４が用いられ、ＥＣ素子１０１の両極をショートするために第５スイッチＳＷ５が用いられる。以下、第１スイッチＳＷ１〜第４スイッチＳＷ４を駆動用スイッチ、第５スイッチＳＷ５を短絡用スイッチという。第１スイッチＳＷ１〜第５スイッチＳＷ５は制御部１０５が個別に制御することが可能である。第１スイッチＳＷ１〜第５スイッチＳＷ５を制御することにより、ＥＣ素子１０１の両端に様々な電位を印加することが可能となる。
【００２３】
例えば、第２スイッチＳＷ２及び第４スイッチＳＷ４を制御することにより、ＥＣ素子１０１の酸化極である第１の極Ｎ１及び還元極である第２の極Ｐ１を回路基準電位（ＧＮＤ）に接続することもできる。この場合には、第１の極Ｎ１に＋電位、第２の極Ｐ１に−電位を印加して消色を行う場合より、ＥＣ素子１０１内の電荷移動が緩やかであり、しかも自己放電に近似した状態のため、ＥＣ素子１０１にストレスを与えることがなく消色が可能であり、消色応答性が緩やかなものとなる。
【００２４】
第５スイッチＳＷ５は、両端を短絡することによりＥＣ素子１０１の第１の電極４０４Ａと第２の電極４０４Ｂとの間の電位を平衡化する。
【００２５】
第５スイッチＳＷ５にＯＮ抵抗が低いスイッチを使用すると平衡状態に近似し、ＥＣ素子１０１内に電荷が多い場合には急激な電荷移動が行われる。第５スイッチＳＷ５にＯＮ抵抗が高いスイッチを使用すると、ＥＣ素子１０１の電荷が抵抗値により放電されるため、放電特性を持った、電荷移動が行われる。
【００２６】
第５スイッチＳＷ５を増設して並列化し、それぞれＯＮ抵抗が高いものと低いものとを組み合わせれば、検出に必要なＥＣ素子１０１の両極の状態を作り出すことができる。
【００２７】
第５スイッチＳＷ５を使用して、ＥＣ素子１０１の両極をショート状態にすると、ＥＣ素子１０１が消色状態の場合には、ＥＣ素子１０１内においては構成各層ごとにイオン反応がおこるため、酸化極及び還元極の両極をショートしても、一時的に両極端子において平衡が行われるのみであり、開回路状態になると、両極間にＥＣ素子１０１の素子構造固有の電位差が発生する。
【００２８】
このため、第５スイッチＳＷ５によりＥＣ素子１０１の両極間をショートした後、開放して開回路状態にすることにより、両電極間の電位はＥＣ素子１０１の素子構造固有の電位に戻る挙動を示す。そして、ＥＣ素子１０１の両極間の電位差は素子構成や素子の駆動回数などによりこの挙動は特有の傾向を持つ。
【００２９】
第５スイッチＳＷ５をＯＮ抵抗が高いものとした場合、ＥＣ素子１０１が発色状態の場合には、ＥＣ素子１０１において電位差により平衡状態になるまでに両電極の電位が変化する。
【００３０】
ＯＮ抵抗だけでなく、外部抵抗により特性カーブを設定できるため、このカーブの見地により素子構成や素子の駆動回数などによる特有の傾向を検出することが可能となる。
【００３１】
ここでは、第５スイッチＳＷ５のＯＮ抵抗の例を示したが、外部抵抗などの抵抗成分素子により任意に値を付加する構成とすることもできる。
【００３２】
第１スイッチＳＷ１〜第５スイッチＳＷ５を制御することにより、各種のショートモードを実現できる。図２〜図５にショートモードの例を示す。
【００３３】
図２は、第１のショートモードの例を示す図である。図２に示すように、第１のショートモードは、第１スイッチＳＷ１〜第４スイッチＳＷ４をＯＦＦにし、第５スイッチＳＷ５のみをＯＮすることにより実現できる。ＥＣ素子１０１の両電極のみをショートするものである。
【００３４】
図３は、第２のショートモードの例を示す図である。図３に示すように、第２のショートモードは、第４スイッチＳＷ４及び第５スイッチＳＷ５のみをＯＮし、第１スイッチＳＷ１〜第３スイッチＳＷ３をＯＦＦにすることにより実現できる。ＥＣ素子１０１の第２の極Ｐ１（還元極）を回路基準電位（ＧＮＤ）に接続し、第１の極Ｎ１（酸化極）とショートするものである。
【００３５】
図４は、第３のショートモードの例を示す図である。図４に示すように、第３のショートモードは、第２スイッチＳＷ２及び第５スイッチＳＷ５のみをＯＮし、第１スイッチＳＷ１、第３スイッチＳＷ３、及び第４スイッチＳＷ４をＯＦＦにすることにより実現できる。ＥＣ素子１０１の第１の極Ｎ１（酸化極）を回路基準電位（ＧＮＤ）に接続し、第２の極Ｐ１（還元極）とショートするものである。
【００３６】
図５は、第４のショートモードの例を示す図である。図５に示すように、第４のショートモードは、第２スイッチＳＷ２、第４スイッチＳＷ４、及び第５スイッチＳＷ５をＯＮし、第１スイッチＳＷ１及び第３スイッチＳＷ３をＯＦＦにすることにより実現できる。ＥＣ素子１０１の第１の極Ｎ１（酸化極）及び第２の極Ｐ１（還元極）の両方を回路基準電位（ＧＮＤ）に接続し、ショートするものである。
【００３７】
図６は、ＥＣ素子１０１を回路基準電位（ＧＮＤ）により発色させる場合の駆動部の状態を示す図である。図６に示すように、ＥＣ素子１０１を回路基準電位（ＧＮＤ）により発色させる場合、第１スイッチＳＷ１及び第４スイッチＳＷ４をＯＮにし、第２スイッチＳＷ２、第３スイッチＳＷ３、及び第５スイッチＳＷ５をＯＦＦにする。この場合、電流は、破線矢印に示すように、電源部１０２、第１可変電源部１０３Ａ、第１スイッチＳＷ１、ＥＣ素子１０１（第１の極Ｎ１から第２の極Ｐ１へ）、第４スイッチＳＷ４を経てＧＮＤに達する。
【００３８】
図７は、第１可変電源部１０３Ａと第２可変電源部１０３Ｂとの電位差を印加することにより、第１の極Ｎ１（酸化極）と第２の極Ｐ１（還元極）との電位差によってＥＣ素子１０１を発色させる場合の駆動部の状態を示す図である。図７に示すように、ＥＣ素子１０１を両極の電位差によって発色させる場合、第１スイッチＳＷ１及び第３スイッチＳＷ３をＯＮにし、第２スイッチＳＷ２、第４スイッチＳＷ４、及び第５スイッチＳＷ５をＯＦＦにする。この場合、電流は、破線矢印に示すように、電源部１０２、第１可変電源部１０３Ａ、第１スイッチＳＷ１、ＥＣ素子１０１（第１の極Ｎ１から第２の極Ｐ１へ）、第３スイッチＳＷ３を経て第２可変電源部１０３Ｂに達する。
【００３９】
ＥＣ素子１０１の構成によっては、＋電位だけでなく、−電位によっての電位印加が必要となるが、本実施形態においてはどのようなＥＣ素子１０１の構成においても正電源のみによって対応可能となる。
【００４０】
なお、第１可変電源部１０３Ａと第２可変電源部１０３Ｂとの電位の組み合わせは以下のいずれの組み合わせであっても問題はない。
（第１可変電源部１０３Ａの電位／第２可変電源部１０３Ｂの電位）
（            正              ／            正              ）
（            負              ／            正              ）
（            正              ／            負              ）
（            負              ／            負              ）
【００４１】
図８は、第１可変電源部１０３Ａと第２可変電源部１０３Ｂとの発色電位の組み合わせの例を示す図である。図８に示すように、第１の極Ｎ１（酸化極）と第２の極Ｐ１（還元極）との間の電位差が２Ｖを必要とするＥＣ素子１０１の場合であっても、第１可変電源部１０３Ａと第２可変電源部１０３Ｂとの電位の組み合わせは上述のいずれの組み合わせであっても発色動作を行わせることが可能である。
【００４２】
図９は、第５スイッチＳＷ５を使用してＥＣ素子１０１に発色動作を行わせる場合の駆動部の状態を示す図である。図９に示すように、第１スイッチＳＷ１、第４スイッチＳＷ４、及び第５スイッチＳＷ５をＯＮにし、第２スイッチＳＷ２及び第３スイッチＳＷ３をＯＦＦにする。この例は、第５スイッチＳＷ５のＯＮ抵抗、若しくはショート経路に適切な抵抗値を使用して強制リーク経路１１０を設け、ＥＣ素子１０１に発色動作を行わせる例である。
【００４３】
図９に示した例においては、図６に示した例の第５スイッチＳＷ５をＯＮ、ないし抵抗値を追加したものに相当する。図７に示した例の第５スイッチＳＷ５をＯＮ、ないし抵抗値を追加したものでも同様な経路を形成することができる。
【００４４】
図１０は、回路基準電位（ＧＮＤ）によりＥＣ素子１０１を消色する場合の駆動部の状態を示す図である。図１０に示すように、この場合、第２スイッチＳＷ２及び第３スイッチＳＷ３をＯＮにし、第１スイッチＳＷ１、第４スイッチＳＷ４、及び第５スイッチＳＷ５をＯＦＦにする。電流は、破線矢印に示すように、電源部１０２、第２可変電源部１０３Ｂ、第３スイッチＳＷ３、ＥＣ素子１０１（第２の極Ｐ１から第１の極Ｎ１へ）、及び第２スイッチＳＷ２を経てＧＮＤに至る。
【００４５】
図１１は、第１可変電源部１０３Ａと第２可変電源部１０３Ｂとの電位差を印加することにより、第１の極Ｎ１（酸化極）と第２の極Ｐ１（還元極）との電位差によってＥＣ素子１０１を消色させる場合の駆動部の状態を示す図である。図１１に示すように、ＥＣ素子１０１を両極の電位差によって消色させる場合、第１スイッチＳＷ１及び第３スイッチＳＷ３をＯＮにし、第２スイッチＳＷ２、第４スイッチＳＷ４、及び第５スイッチＳＷ５をＯＦＦにする。この場合、電流は、破線矢印に示すように、電源部１０２、第２可変電源部１０３Ｂ、第３スイッチＳＷ３、ＥＣ素子１０１（第２の極Ｐ１から第１の極Ｎ１へ）、第１スイッチＳＷ１を経て第１可変電源部１０３Ａに達する。
【００４６】
図１２は、第１可変電源部１０３Ａと第２可変電源部１０３Ｂとの消色電位の組み合わせの例を示す図である。図１２に示すように、第１の極Ｎ１（酸化極）と第２の極Ｐ１（還元極）との間の電位差が２Ｖを必要とするＥＣ素子１０１の場合であっても、第１可変電源部１０３Ａと第２可変電源部１０３Ｂとの電位の組み合わせは上述のいずれの組み合わせであっても消色動作を行わせることが可能である。
【００４７】
図１３は、第５スイッチＳＷ５を使用してＥＣ素子１０１に消色動作を行わせる場合の駆動部の状態を示す図である。図１３に示すように、第２スイッチＳＷ２、第３スイッチＳＷ３、及び第５スイッチＳＷ５をＯＮにし、第１スイッチＳＷ１及び第４スイッチＳＷ４をＯＦＦにする。この例は、第５スイッチＳＷ５のＯＮ抵抗、若しくはショート経路に適切な抵抗値を使用して強制リーク経路１１１を設け、ＥＣ素子１０１に消色動作を行わせる例である。
【００４８】
図１３に示した例においては、図１０に示した例の第５スイッチＳＷ５をＯＮ、ないし抵抗値を追加したものに相当する。図１１に示した例の第５スイッチＳＷ５をＯＮ、ないし抵抗値を追加したものでも同様な経路を形成することができる。
【００４９】
図６及び図７においては、第１の極Ｎ１（酸化極）を第２の極Ｐ１（還元極）より＋電位として、また図１０及び図１１においては第２の極Ｐ１（還元極）を第１の極Ｎ１（酸化極）より＋電位としているが、それぞれを逆の電位によって印加制御することも可能である。
【００５０】
第１可変電源部１０３Ａ及び第２可変電源部１０３Ｂは、制御部１０５により個別に電圧が可変である。従って、ＥＣ素子１０１の両極に任意の電位差を印加できるため、各種の印加波形を与えることができる。
【００５１】
ＥＣ素子１０１と本実施形態の駆動部とを使用することにより、ＥＣ素子１０１の両極の間に任意の電位印加の状態を形成することが可能となり、各状態におけるＥＣ素子１０１の両極の電位を検出することにより、駆動時のパラメータデータとすることが可能となる。
【００５２】
図１４は、ＥＣ素子１０１の両極の電位を検出する電圧検出部を備えるエレクトロクロミック駆動装置の構成を示す図である。図１４に示すように、エレクトロクロミック駆動装置は、図１に示した構成に加え、ＥＣ素子１０１の第１の極Ｎ１（酸化極）の電位を検出し、検出結果を制御部１０５に出力する第１電圧検出部１０４Ａと、第２の極Ｐ１（還元極）の電位を検出し、検出結果を制御部１０５に出力する第２電圧検出部１０４Ｂと、をさらに備える。
【００５３】
第１電圧検出部１０４Ａと第２電圧検出部１０４Ｂは、オペアンプ及びＡ／Ｄコンバータなどのアナログ信号をディジタル信号に変換する装置を含み、その具体的な構成は適宜選択できる。第１電圧検出部１０４Ａと第２電圧検出部１０４Ｂは、制御部１０５とは独立の外付け部品であってもよいし、制御部１０５が有するマイクロコントローラ等に内蔵されているＡ／Ｄコンバータを使用するものとすることもできる。制御部１０５は、第１電圧検出部１０４Ａ及び第２電圧検出部１０４Ｂによって検出した両電極の電位に基づいて、シーケンス制御、フィードバック制御、及びエレクトロクロミック素子の状態検出のうち少なくとも一つを行う。
【００５４】
図１５は、使用履歴のない新品のＥＣ素子１０１と、相当回数駆動したＥＣ素子１０１との、復帰カーブを示すグラフである。縦軸は両極間電圧（Ｖ）、横軸は開放時間（ｔ）を示す。復帰カーブは、ＥＣ素子１０１が消色している状態において、第５スイッチＳＷ５だけをＯＮにし、第１スイッチＳＷ１〜第４スイッチＳＷ４をＯＦＦにした場合、ＥＣ素子１０１の両極をショート後、開放した場合の両極の構造上固有の電位に復帰するまでの両極間電圧と開放時間の関係を示すものである。
【００５５】
図１５に示すように、特性Ａのグラフに示す初期値（新品のＥＣ素子１０１の特性）より、特性Ｂに示す相当回数駆動したＥＣ素子１０１の特性は固有の電位に復帰するまでの時間がかかっている。従って、例えば予め設定した基準時間ｔ０における両極間電圧を検知すれば、ＥＣ素子１０１の劣化の度合いを推測することができる。そして、この推測結果に基づいて制御部１０５は発色／消色の駆動パラメータを調整する。
【００５６】
例えば、制御部１０５は第１電圧検出部１０４Ａと第２電圧検出部１０４Ｂによって特性Ｂの復帰カーブを検知した場合、つまり、基準時間ｔ０において特性Ａより両極間電圧が低かった場合、その低さに対応する分だけ、特性Ａにおける場合より高い発色電圧／消色電圧を、特性Ａにおける場合より長い時間だけＥＣ素子１０１に印加するように制御する。もちろん、電圧と時間のいずれか一方だけ変化させてもよい。
【００５７】
これらの変化させる電圧及び時間は、制御部１０５内の記憶部に予め複数のＥＣ素子１０１の特性をテーブルとして用意しておく。制御部１０５は、復帰カーブによりＥＣ素子１０１を特定し、予めテーブル化された制御パラメータを選択して駆動時に必要な制御を行う。従って、ＥＣ素子１０１の劣化度に関りなく常に一定の発色／消色の駆動が可能となる。
【００５８】
検出部のインピーダンスをＥＣ素子１０１の端子インピーダンスより高いインピーダンスに設定すれば、開回路時の放電現象によるＥＣ素子１０１のメモリ性により、濃度保持時の濃度変化も検出が可能となる。
【００５９】
図１６は、駆動波形の例を示す図である。図１６に示すように、第１可変電源部１０３Ａは第１の極Ｎ１（酸化極）にＶ１〜Ｖ４の電圧を、第１スイッチＳＷ１及び第４スイッチＳＷ４がＯＮの時印加し、ＯＦＦの時印加しない。第２可変電源部１０３Ｂは、第２の極Ｐ１（還元極）にＶ５の電圧を、第２スイッチＳＷ２及び第３スイッチＳＷ３がＯＮの時印加し、ＯＦＦの時印加しない。制御部１０５はこのように第１可変電源部１０３Ａ、第２可変電源部１０３Ｂ、及び駆動部を制御することにより、ＥＣ素子１０１の発色を行う。
【００６０】
制御部１０５は、印加電圧や駆動部のＯＮ／ＯＦＦ時間を制御することにより、ＥＣ素子１０１の劣化防止、応答性、発色性などに最適な印加波形を、第１電圧検出部１０４Ａと第２電圧検出部１０４Ｂによって検知した復帰カーブに基づいて任意に生成することが可能となる。
【００６１】
第１電圧検出部１０４Ａと第２電圧検出部１０４ＢはＥＣ素子１０１の電極に接続されているため、駆動時以外にもＥＣ素子１０１の電極電位の検出により、制御部１０５はＥＣ素子１０１の挙動を判定することが可能である。
【００６２】
また、制御部１０５は、発色後にＥＣ素子１０１の両極の電位を検出するとともに濃度変化を検出し、特定の濃度より上下した場合には、適した追加駆動を行うことにより発色濃度を保持することも可能である。
【００６３】
以上述べたように、本実施形態のエレクトロクロミック駆動装置は、ＥＣ素子１０１と、電源部１０２とＥＣ素子１０１の第１の極Ｎ１（酸化極）の間に配置される第１スイッチＳＷ１と、第１の極Ｎ１（酸化極）と回路基準電位（ＧＮＤ）との間に配置される第２スイッチＳＷ２と、電源部１０２とＥＣ素子１０１の第２の極Ｐ１（還元極）の間に配置される第３スイッチＳＷ３と、第２の極Ｐ１（還元極）と回路基準電位（ＧＮＤ）との間に配置される第４スイッチＳＷ４と、第１の極Ｎ１（酸化極）と第２の極Ｐ１（還元極）を短絡／開放する第５スイッチＳＷ５と、第１スイッチＳＷ１〜第５スイッチＳＷ５を制御する制御部と、を備える。
【００６４】
従って、フィードバック制御等のための特別な検知回路を用意せずにエレクトロクロミック素子の発色／消色の駆動を効率よく行うことが可能なエレクトロクロミック駆動装置を提供することができる、という効果がある。
【００６５】
（第２の実施形態）
本実施形態のＥＣ駆動装置の構成は、第１の実施形態の図１４に示すＥＣ駆動装置の構成と同様である。具体的には、ＥＣ駆動装置は、電力を供給する電源部１０２と、第１可変電源部１０３Ａ及び第２可変電源部１０３Ｂと、ＥＣ素子１０１と、第１スイッチＳＷ１、第２スイッチＳＷ２、第３スイッチＳＷ３、第４スイッチＳＷ４、及び第５スイッチＳＷ５と、第１電圧検出部１０４Ａと、第２電圧検出部１０４Ｂと、制御部１０５と、を備える。
【００６６】
第１可変電源部１０３Ａは、電源部１０２から電力の供給を受ける。第１可変電源部１０３Ａは、直列に接続される第１スイッチＳＷ１及び第２スイッチＳＷ２に接続する。第２スイッチＳＷ２はグランドＧＮＤに接続する。
【００６７】
第２可変電源部１０３Ｂは、電源部１０２から電力の供給を受ける。第２可変電源部１０３Ｂは、直列に接続される第３スイッチＳＷ３及び第４スイッチＳＷ４に接続する。第４スイッチＳＷ４はグランドＧＮＤに接続する。
【００６８】
第１スイッチＳＷ１の出力端子は、並列に接続される第５スイッチＳＷ５及びＥＣ素子１０１の一方の端子に接続する。並列に接続される第５スイッチＳＷ５及びＥＣ素子１０１の他方の端子は第３スイッチＳＷ３の出力端子に接続する。
【００６９】
このように第１スイッチＳＷ１から第５スイッチＳＷ５を接続すると、第１スイッチＳＷ１から第５スイッチＳＷ５の動作を制御する制御部からの駆動信号によりＥＣ素子１０１の両極にそれぞれ異なる電荷を印加できる。第１スイッチＳＷ１から第５スイッチＳＷ５を以下、素子駆動部という。
【００７０】
第１電圧検出部１０４Ａは、ＥＣ素子１０１の第１の極Ｎ１に接続して電圧を検出し、検出結果を制御部１０５に出力する。第２電圧検出部１０４Ｂは、ＥＣ素子１０１の第２の極Ｐ１に接続して電圧を検出し、検出結果を制御部１０５に出力する。
【００７１】
制御部１０５は、第１電圧検出部１０４Ａ及び第２電圧検出部１０４Ｂの出力に基づいて第１可変電源部１０３Ａ及び第２可変電源部１０３Ｂを制御する制御信号の生成に際してフィードバックして制御することが可能となる。
【００７２】
制御部１０５は、第１可変電源部１０３Ａ及び第２可変電源部１０３Ｂに制御信号を出力する。また、制御部１０５は、第１スイッチＳＷ１、第２スイッチＳＷ２、第３スイッチＳＷ３、第４スイッチＳＷ４、及び第５スイッチＳＷ５に駆動信号を出力する。
【００７３】
第５スイッチＳＷ５は、両端を短絡することによりＥＣ素子１０１の第１の電極４０４Ａと第２の電極４０４Ｂとの間の電位を平衡化する。ＥＣ素子１０１は、第１の電極４０４Ａと第２の電極４０４Ｂとの間だけでなく、第１の電極４０４Ａと第２の電極４０４Ｂの内部においてもイオン反応が起こるため、平衡化しても両電極が同一電位になることはない。そして、両電極の間の電位差はＥＣ素子１０１の構成やＥＣ素子１０１の駆動回数などにより特有の傾向を持つ。
【００７４】
また、第５スイッチＳＷ５は、ＥＣ素子１０１の両電極間の電位差を検出するために用いられる。ＥＣ素子１０１の第１の極Ｎ１には第１電圧検出部１０４Ａが、第２の極Ｐ１には第２電圧検出部１０４Ｂが、それぞれ接続される。
【００７５】
第１スイッチＳＷ１、第２スイッチＳＷ２、第３スイッチＳＷ３、第４スイッチＳＷ４、及び第５スイッチＳＷ５は、リレーなどのメカニカルスイッチや、半導体によるアナログスイッチ、ＭＯＳ−Ｔｒ（ｍｅｔａｌ  ｏｘｉｄｅ  ｓｅｍｉｃｏｎｄｕｃｔｏｒ  ｔｒａｎｓｉｓｔｏｒ）などの中から適宜選択できる。
【００７６】
発色に際して、制御部１０５は、第１スイッチＳＷ１及び第４スイッチＳＷ４を短絡させ、他のスイッチを解放させる駆動信号を出力する。この場合、電源部１０２から供給された電力は、第１可変電源部１０３Ａ、第１スイッチＳＷ１、ＥＣ素子１０１の第１の極Ｎ１、ＥＣ素子１０１、ＥＣ素子１０１の第２の極Ｐ１、及び第４スイッチＳＷ４の順に導かれ、グランドＧＮＤに達する。この際、制御部１０５は、第１可変電源部１０３Ａに制御信号を出力し、第１可変電源部１０３Ａは制御信号に基づいて電圧を変動させる。
【００７７】
消色に際して、制御部１０５は、第２スイッチＳＷ２及び第３スイッチＳＷ３を短絡させ、他のスイッチを解放させる駆動信号を出力する。この場合、電源部１０２から供給された電力は、第２可変電源部１０３Ｂ、第３スイッチＳＷ３、ＥＣ素子１０１の第２の極Ｐ１、ＥＣ素子１０１、ＥＣ素子１０１の第１の極Ｎ１、及び第２スイッチＳＷ２の順に導かれ、グランドＧＮＤに達する。この際、制御部１０５は、第２可変電源部１０３Ｂに制御信号を出力し、第２可変電源部１０３Ｂは制御信号に基づいて電圧を変動させる。
【００７８】
図１７は、第１可変電源部１０３Ａ及び第２可変電源部１０３Ｂの構成例を示す図である。第１可変電源部１０３Ａの構成は第２可変電源部１０３Ｂの構成と同様である。従って、第１可変電源部１０３Ａの構成について説明する。
【００７９】
図１７に示すように、第１可変電源部１０３Ａは、定流電源に接続されたオペアンプ２０２と、ＮＰＮ型トランジスタ２０３と、ＰＮＰ型トランジスタ２０４と、可変抵抗２０５と、を含む。
【００８０】
オペアンプ２０２は、プラス端子に入力ＩＮが接続され、出力端子にＮＰＮ型トランジスタ２０３のベース端子が接続される。ＮＰＮ型トランジスタ２０３のコレクタ端子にはＰＮＰ型トランジスタ２０４のベース端子が接続される。ＰＮＰ型トランジスタ２０４のエミッタ端子には入力ＩＮが接続され、ＰＮＰ型トランジスタ２０４のコレクタ端子、及びＮＰＮ型トランジスタ２０３のエミッタ端子はオペアンプ２０２のマイナス端子に接続される。
【００８１】
電流源２０１の出力端子は、オペアンプ２０２のプラス端子と、可変抵抗２０５に接続する。可変抵抗２０５は、制御部１０５の制御信号に基づいて抵抗値を変動させる。
【００８２】
図１８は、第１可変電源部１０３Ａ及び第２可変電源部１０３Ｂの動作を示す図である。第１可変電源部１０３Ａの動作と第２可変電源部１０３Ｂの動作とは同様であるため、以下第１可変電源部１０３Ａの動作を説明する。図１８において、縦軸は端子電圧（Ｖ）を、横軸は時間（ｔ）を示す。
【００８３】
図１８に示すように、第１可変電源部１０３Ａは、制御部１０５の制御信号に基づいて、電圧印加開始から時間ｔ１が経過するまで電圧ｖ１を印加し、時間ｔ２が経過するまで電圧ｖ１より小さい電圧の電圧ｖ２を印加する。
【００８４】
次に、第１可変電源部１０３Ａは、制御部１０５の制御信号に基づいて、時間ｔ２から時間ｔ３までは傾き−Δｖにより電圧を端子電圧より低い電圧である電圧ｖ４まで経時的に低下させながら印加を続ける。時間ｔ３から時間ｔ４までは印加する電圧を傾き＋Δｖにより電圧ｖ４から電圧ｖ２まで経時的に高くする。第１可変電源部１０３Ａは、制御部１０５の制御信号に基づいて、この動作を複数回、例えば、３回繰り返す。
【００８５】
その後、時間ｔ８において、制御部１０５は第１スイッチＳＷ１から第５スイッチＳＷ５の全てを解放させる駆動信号を出力し、ＥＣ素子１０１をＯＣＶ（オープンサーキット）状態としてＥＣ素子１０１を安定化させる。
【００８６】
駆動波形は、本実施形態においては三角波であったが、ＥＣ素子１０１の特性に基づいて適宜変更することができる。
【００８７】
以上述べたように、本実施形態のエレクトロクロミック駆動装置は、制御信号に基づいて出力電圧を経時的に変化させる可変電源部１０３Ａ、１０３Ｂと、駆動信号に基づいて可変電源部１０３Ａ、１０３Ｂの出力電圧を印可するエレクトロクロミック素子１０１の極を変更する素子駆動部と、制御信号と駆動信号を生成する制御部１０５と、を備える。
【００８８】
従って、駆動波形が方形波ではなく経時的に変化する波形となるため、ＥＣ素子１０１に突入電流が印加されることが無くなる。よって、素子の劣化を防止でき、併せて低消費電力と高い応答性を得ることが可能となる。
【００８９】
なお、図１には可変電源部を２つ示したが、回路構成によっては１つであってもよい。
【００９０】
また、図１７に示す可変電源部の回路構成は、定電流源を有するレギュレータを示したが、他の方式であっても出力電圧が経時的に変更することができれば適宜採用することができる。
【００９１】
以上、本発明について、好ましい実施形態を挙げて説明したが、本発明のエレクトロクロミック駆動装置は上記実施形態の構成に限定されるものでない。
【００９２】
当業者は、従来公知の知見に従い、本発明のエレクトロクロミック駆動装置を適宜改変することができる。このような改変によってもなお本発明のエレクトロクロミック駆動装置の構成を具備する限り、もちろん、本発明の範疇に含まれるものである。
【符号の説明】
【００９３】
１０１  エレクトロクロミック素子
１０２  電源部
１０３Ａ  第１可変電源部
１０３Ｂ  第２可変電源部
１０４Ａ  第１電圧検出部
１０４Ｂ  第２電圧検出部
１０５  制御部
２０１  電流源
２０２  オペアンプ
２０３  ＮＰＮ型トランジスタ
２０４  ＰＮＰ型トランジスタ
２０５  可変抵抗
４０１  電解質層
４０２Ａ  第１の色材層
４０２Ｂ  第２の色材層
４０３Ａ  封止部
４０３Ｂ  封止部
４０４Ａ  第１の電極
４０４Ｂ  第２の電極
４０５Ａ  第１の基板
４０５Ｂ  第２の基盤
Ｎ１  第１の極
Ｐ１  第２の極
ＳＷ１  第１スイッチ
ＳＷ２  第２スイッチ
ＳＷ３  第３スイッチ
ＳＷ４  第４スイッチ
ＳＷ５  第５スイッチ
【先行技術文献】
【特許文献】
【００９４】
【特許文献１】特開平１０−６３２１６号公報
【図１】
2020160476.tif 000003
【図２】
2020160476.tif 000004
【図３】
2020160476.tif 000005
【図４】
2020160476.tif 000006
【図５】
2020160476.tif 000007
【図６】
2020160476.tif 000008
【図７】
2020160476.tif 000009
【図８】
2020160476.tif 000010
【図９】
2020160476.tif 000011
【図１０】
2020160476.tif 000012
【図１１】
2020160476.tif 000013
【図１２】
2020160476.tif 000014
【図１３】
2020160476.tif 000015
【図１４】
2020160476.tif 000016
【図１５】
2020160476.tif 000017
【図１６】
2020160476.tif 000018
【図１７】
2020160476.tif 000019
【図１８】
2020160476.tif 000020
【図１９】
2020160476.tif 000021
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
第１の色材層、及び第２の色材層を少なくとも含むエレクトロクロミック素子を駆動させるエレクトロクロミック駆動装置であって、
電力を可変に供給する可変電源部と、
エレクトロクロミック素子の第１の極と第２の極とをそれぞれ前記可変電源部又は回路基準電位に接続させる駆動用スイッチと、
前記第１の極と前記第２の極とを短絡／開放させる短絡用スイッチと、
前記駆動用スイッチ、前記短絡用スイッチ、及び前記可変電源部を制御する制御部と、
を備え、
前記制御部は、
前記短絡用スイッチをＯＮして前記第１の極と前記第２の極とをショートさせ、
前記駆動用スイッチを制御して、前記第１の極と前記第２の極のうちいずれか一方の極を前記回路基準電位に接続させるとともに、他方の極を電源と接続させ、
発色又は消色時に強制的に前記エレクトロクロミック素子の中の電荷を平衡化させる
エレクトロクロミック駆動装置。
【請求項２】
前記制御部は、
前記エレクトロクロミック素子の中の電荷を平衡化させた後、前記駆動用スイッチおよび前記短絡用スイッチをＯＦＦして、前記エレクトロクロミック素子を開回路状態にさせる
請求項１に記載のエレクトロクロミック駆動装置。
【請求項３】
電力を可変に供給する可変電源部と、
エレクトロクロミック素子の第１の極と第２の極とをそれぞれ前記可変電源部又は回路基準電位に接続させる駆動用スイッチと、
前記第１の極と前記第２の極とを短絡／開放させる短絡用スイッチと、
前記駆動用スイッチ、前記短絡用スイッチ、及び前記可変電源部を制御する制御部と、
を備え、
前記制御部は、
前記駆動用スイッチをＯＦＦし、前記短絡用スイッチをＯＮして前記第１の極と前記第２の極とをショートさせた後、
前記短絡用スイッチをＯＦＦして、前記エレクトロクロミック素子を開回路状態にさせる第一のショートモードと、
前記短絡用スイッチをＯＮして前記第１の極と前記第２の極とをショートさせ、
前記駆動用スイッチを制御して、前記第１の極と前記第２の極のうちいずれか一方の極を前記回路基準電位に接続させるとともに、他方の極を電源と接続させ、
前記エレクトロクロミック素子の中の電荷を平衡化させた後、前記駆動用スイッチ及び前記短絡用スイッチをＯＦＦして、前記エレクトロクロミック素子を開回路状態にさせる第二のショートモードと、
前記短絡用スイッチをＯＮして前記第１の極と前記第２の極とをショートさせ、
前記駆動用スイッチを制御して、前記第１の極及び前記第２の極の両方の極を前記回路基準電位に接続させるとともに、他方の極を電源と接続させ、
前記エレクトロクロミック素子の中の電荷を平衡化させた後、前記駆動用スイッチ及び前記短絡用スイッチをＯＦＦして、前記エレクトロクロミック素子を開回路状態にさせる第三のショートモードと、を制御する
エレクトロクロミック駆動装置。
【請求項４】
前記可変電源部は、
電源部から電力の供給を受ける第１可変電源部と第２可変電源部と、を有し、
前記駆動用スイッチは、
一方を前記第１可変電源部と接続する第１スイッチと、
一方を前記第１スイッチの他方と接続し、他方を前記回路基準電位と接続する第２スイッチと、
一方を前記第２可変電源部と接続する第３スイッチと、
一方を前記第３スイッチの他方と接続し、他方を前記回路基準電位と接続する第４スイッチと、を有し、
前記エレクトロクロミック素子と前記短絡用スイッチとは、並列に接続し、一方が前記第１スイッチと前記第２スイッチとの間に接続し、他方が前記第３スイッチと前記第４スイッチとの間に接続することが可能であり、
前記エレクトロクロミック素子の両端子に、同電位、前記回路基準電位または前記電源部からの電位を強制的に印加可能な構成とする
請求項１から３のいずれか一項に記載のエレクトロクロミック駆動装置。
【請求項５】
前記可変電源部は、
前記第１の極に電力を可変に供給する第１可変電源部と、
前記第２の極に電力を可変に供給する第２可変電源部と、
を備え、
前記制御部は、
前記第１可変電源部と前記第２可変電源部との電位差によって前記エレクトロクロミック素子を発色／消色させる請求項１に記載のエレクトロクロミック駆動装置。
【請求項６】
前記第１可変電源部と前記第２可変電源部は、
電位の組み合わせが任意に選択できる請求項５に記載のエレクトロクロミック駆動装置。
【手続補正２】
【補正対象書類名】明細書
【補正対象項目名】０００７
【補正方法】変更
【補正の内容】
【０００７】
上記課題を解決するための本発明は、第１の色材層、及び第２の色材層を少なくとも含むエレクトロクロミック素子を駆動させるエレクトロクロミック駆動装置であって、
電力を可変に供給する可変電源部と、エレクトロクロミック素子の第１の極と第２の極とをそれぞれ前記可変電源部又は回路基準電位に接続させる駆動用スイッチと、前記第１の極と前記第２の極とを短絡／開放させる短絡用スイッチと、前記駆動用スイッチ、前記短絡用スイッチ、及び前記可変電源部を制御する制御部と、を備え、前記制御部は、前記短絡用スイッチをＯＮして前記第１の極と前記第２の極とをショートさせ、前記駆動用スイッチを制御して、前記第１の極と前記第２の極のうちいずれか一方の極を前記回路基準電位に接続させるとともに、他方の極を電源と接続させ、発色又は消色時に強制的に前記エレクトロクロミック素子の中の電荷を平衡化させるエレクトロクロミック駆動装置を提供する。